(57)【要約】【課題】Ｊリングの上面と上から見てＪリングに囲まれる位置に配置されたコンクリートとの間の距離を容易に測定するための測定器具を実現する。【解決手段】測定器具（１）は、Ｊリング（２０）の環状部（２１０）の上面と上から見てＪリング（２０）に囲まれる位置に配置されたコンクリート（Ｃ１）との間の距離を測定するためのものであって、環状部（２１０）の上面に配置される平板（１２０）と、平板（１２０）に取り付けられ、前記距離を測定するための測定部（３０）とを備える。【選択図】図１
2019120700.tif 000002
【特許請求の範囲】
【請求項１】
中央に開口部が形成された環状部と前記環状部を下から支持する複数の支持部とから構成されるＪリングが平面上に直立しており、前記環状部の上面と上から見て前記Ｊリングに囲まれる位置に配置されたコンクリートとの間の距離を測定するための測定器具であって、
前記環状部の上面に配置される平板と、
前記平板に取り付けられ、前記距離を測定するための測定部とを備えることを特徴とする測定器具。
【請求項２】
前記測定部は、前記平板を上下方向に貫通するように形成された貫通孔に挿入されることにより前記平板に移動可能に取り付けられ、
前記平板の側面には、前記貫通孔とつながっている孔が形成されており、
前記孔には、前記測定部と当接することにより前記貫通孔の内壁面に対する前記測定部の相対位置を保持するための当接部材が挿入されていることを特徴とする請求項１に記載の測定器具。
【請求項３】
前記測定部は、前記平板を上下方向に貫通するように形成された貫通孔に挿入されることにより前記平板に移動可能に取り付けられ、
前記測定部と前記貫通孔の内壁面との間に、前記貫通孔の内壁面に対する前記測定部の相対位置を保持する保持部をさらに備えることを特徴とする請求項１に記載の測定器具。
【請求項４】
前記測定部は、前記コンクリートと非接触である状態で前記距離を測定するための非接触変位計であることを特徴とする請求項１に記載の測定器具。
【請求項５】
前記平板は、上から見て、その中央と前記開口部の中央とを合わせた状態で２つの突出端部が前記環状部より外側に突出するような直方体の形状を有し、
３つの前記測定部は、前記平板の中央及び２つの前記突出端部の各々を上下方向に貫通するように形成された３つの貫通孔の各々に挿入されることにより前記平板に移動可能に取り付けられることを特徴とする請求項２に記載の測定器具。
【請求項６】
前記平板は、上から見て、その中央と前記開口部の中央とを合わせた状態で４つの突出端部が前記環状部より外側に突出するような十字形状を有し、
５つの前記測定部は、前記平板の中央及び４つの前記突出端部の各々を上下方向に貫通するように形成された５つの貫通孔の各々に挿入されることにより前記平板に移動可能に取り付けられることを特徴とする請求項２に記載の測定器具。
【請求項７】
２つの前記平板は、互いに中央箇所で接続されることにより、十字形状を構成することを特徴とする請求項１に記載の測定器具。
【発明の詳細な説明】
【技術分野】
【０００１】
本発明は測定器具に関する。
【背景技術】
【０００２】
非特許文献１には、Ｊリングによる自己充填コンクリートの通過性能に関する標準試験方法が開示されている。非特許文献１に開示されている試験方法では、中央に開口部を有する環状部と環状部を下から支持する複数の支持部とから構成されるＪリングが平面上に直立している。また、Ｊリングの上面と上から見てＪリングに囲まれる位置に配置されたコンクリートとの間の距離を測定する。
【先行技術文献】
【非特許文献】
【０００３】
【非特許文献１】“Standard Test Method for Passing Ability of Self-Consolidating Concrete by J-Ring”，［online］，Washington State Department of Transportation，［平成２９年１２月１３日検索］，インターネット＜ＵＲＬ：https://www.wsdot. wa.gov/publications/manuals/fulltext/M46-01/C1621.pdf＞
【発明の概要】
【発明が解決しようとする課題】
【０００４】
非特許文献１に開示されている試験方法では、Ｊリングの上面と上から見てＪリングに囲まれる位置に配置されたコンクリートとの間の距離を容易に測定するための測定器具を実現することが望まれている。
【０００５】
本発明の一態様は、Ｊリングの上面と上から見てＪリングに囲まれる位置に配置されたコンクリートとの間の距離を容易に測定するための測定器具を実現することを目的とする。
【課題を解決するための手段】
【０００６】
上記の課題を解決するために、本発明の一態様に係る測定器具は、中央に開口部が形成された環状部と前記環状部を下から支持する複数の支持部とから構成されるＪリングが平面上に直立しており、前記環状部の上面と上から見て前記Ｊリングに囲まれる位置に配置されたコンクリートとの間の距離を測定するための測定器具であって、前記環状部の上面に配置される平板と、前記平板に取り付けられ、前記距離を測定するための測定部とを備える。
【０００７】
上記構成によれば、環状部の上面に平板を配置し、その平板には環状部の上面と上から見てＪリングに囲まれる位置に配置されたコンクリートとの間の距離を測定するための測定部が取り付けられている。このように、環状部の上面に、環状部の上面とコンクリートとの間の距離を測定するための測定部が取り付けられた平板を配置することにより、環状部の上面とコンクリートとの間の距離を容易に測定することができる。
【０００８】
本発明の一態様に係る測定器具は、前記測定部は、前記平板を上下方向に貫通するように形成された貫通孔に挿入されることにより前記平板に移動可能に取り付けられ、前記平板の側面には、前記貫通孔とつながっている孔が形成されており、前記孔には、前記測定部と当接することにより前記貫通孔の内壁面に対する前記測定部の相対位置を保持するための当接部材が挿入されていることが好ましい。
【０００９】
上記構成によれば、孔には、測定部と当接することにより貫通孔の内壁面に対する測定部の相対位置を保持するための当接部材が挿入されているため、測定器具が前記保持部を備えることによる効果と同様の効果を奏する。
【００１０】
本発明の一態様に係る測定器具は、前記測定部は、前記平板を上下方向に貫通するように形成された貫通孔に挿入されることにより前記平板に移動可能に取り付けられ、前記測定部と前記貫通孔の内壁面との間に、前記貫通孔の内壁面に対する前記測定部の相対位置を保持する保持部をさらに備えることが好ましい。
【００１１】
上記構成によれば、測定器具は、測定部と貫通孔の内壁面との間に、貫通孔の内壁面に対する測定部の相対位置を保持する保持部を備えているため、環状部の上面とコンクリートとの間の距離を測定するとき、ユーザが測定部を保持する必要がなくなる。よって、環状部の上面とコンクリートとの間の距離をより容易に測定することができる。
【００１２】
本発明の一態様に係る測定器具は、前記測定部は、前記コンクリートと非接触である状態で前記距離を測定するための非接触変位計であることが好ましい。
【００１３】
上記構成によれば、環状部の上面に配置される平板に取り付けられた測定部が、コンクリートと非接触である状態で距離を測定するための非接触変位計である。これにより、環状部の上面に平板を配置するだけで、測定部によって環状部の上面とコンクリートとの間の距離が測定される。よって、環状部の上面とコンクリートとの間の距離をより容易に測定することができる。
【００１４】
本発明の一態様に係る測定器具は、前記平板は、上から見て、その中央と前記開口部の中央とを合わせた状態で２つの突出端部が前記環状部より外側に突出するような直方体の形状を有し、３つの前記測定部は、前記平板の中央及び２つの前記突出端部の各々を上下方向に貫通するように形成された３つの貫通孔の各々に挿入されることにより前記平板に移動可能に取り付けられることが好ましい。
【００１５】
上記構成によれば、上から見て３つの測定部の各々が位置する３箇所で環状部の上面とコンクリートとの間の距離を同時に測定することができる。
【００１６】
本発明の一態様に係る測定器具は、前記平板は、上から見て、その中央と前記開口部の中央とを合わせた状態で４つの突出端部が前記環状部より外側に突出するような十字形状を有し、５つの前記測定部は、前記平板の中央及び４つの前記突出端部の各々を上下方向に貫通するように形成された５つの貫通孔の各々に挿入されることにより前記平板に移動可能に取り付けられることが好ましい。
【００１７】
上記構成によれば、上から見て５つの測定部の各々が位置する５箇所で環状部の上面とコンクリートとの間の距離を同時に測定することができる。
【００１８】
本発明の一態様に係る測定器具は、２つの前記平板は、互いに中央箇所で接続されることにより、十字形状を構成することが好ましい。
【００１９】
上記構成によれば、一体である十字形状の平板と比べて、２つの平板を分離させることにより、収納性を向上させることができる。
【発明の効果】
【００２０】
本発明の一態様によれば、Ｊリングの上面と上から見てＪリングに囲まれる位置に配置されたコンクリートとの間の距離を容易に測定するための測定器具を実現することができる。
【図面の簡単な説明】
【００２１】
【図１】（ａ）は本発明の実施形態１に係る測定器具、Ｊリング、及びコンクリートを示し、それらを横方向から見た図であり、（ｂ）はそれらを上から見た図であり、（ｃ）は測定器具の斜視図である。
【図２】（ａ）は図１に示す測定器具の変形例である測定器具、Ｊリング、及びコンクリートを示し、それらを上方向から見た図であり、（ｂ）は（ａ）に示す測定器具の斜視図である。
【図３】（ａ）は図１に示す測定器具の変形例である測定器具、Ｊリング、及びコンクリートを示し、それらを上方向から見た図であり、（ｂ）は（ａ）に示す測定器具の斜視図である。
【図４】本発明の実施形態２に係るスランプコーン及びＪリングを示し、それらを横方向から見た図である。
【図５】図４に示すスランプコーンの使用例を示す図であり、（ａ）はユーザがスランプコーンの中にコンクリートを流し込むときのユーザの姿勢を示す図であり、（ｂ）はユーザがスランプコーンを持ち上げる様子を示す図である。
【図６】（ａ）は本発明の実施形態３に係る水平器、Ｊリング、コンクリート、及び板部を上から見た図であり、（ｂ）は水平器を上から見た図であり、（ｃ）は水平器を横方向から見た図である。
【図７】本発明の実施形態４に係る測定器具及びＪリングを示し、それらを上から見た図である。
【図８】図７に示す測定器具の斜視図である。
【発明を実施するための形態】
【００２２】
〔実施形態１〕
図１の（ａ）は本発明の実施形態１に係る測定器具１０、Ｊリング２０、及びコンクリートＣ１を示し、それらを横方向から見た図であり、図１の（ｂ）はそれらを上から見た図であり、図１の（ｃ）は測定器具１０の斜視図である。なお、ここでは、支持部２２０から環状部２１０に向かう方向を上方向、環状部２１０から支持部２２０に向かう方向を下方向とする。
【００２３】
Ｊリング２０は、図１の（ａ）に示すように、環状部２１０及び複数の支持部２２０から構成されている。環状部２１０の中央には開口部２３０が形成されている。複数の支持部２２０は、環状部２１０を下から支持している。Ｊリング２０は、平面Ｇ１上に直立している。コンクリートＣ１は、上から見てＪリングに囲まれる位置に配置され、平面Ｇ１上に堆積する。コンクリートＣ１が平面Ｇ１上に堆積するとき、コンクリートＣ１は、複数の支持部２２０間を通過する。
【００２４】
測定器具１０は、環状部２１０の上面と上から見てＪリング２０に囲まれる位置に配置されたコンクリートＣ１との間の距離を測定するためのものであり、図１の（ａ）及び（ｂ）に示すように、平板１２０及び測定部３０を備えている。平板１２０は、図１の（ｂ）に示すように、上から見て、その中央と開口部２３０の中央とを合わせた状態で２つの突出端部１３０が環状部２１０より外側に突出するような直方体の形状を有する。平板１２０は、その中央と開口部２３０の中央とを合わせた状態で環状部２１０の上面２１１に配置される。平板１２０の中央には、平板１２０の中央を上下方向に貫通する貫通孔１１０が形成されている。
【００２５】
測定部３０は、平板１２０に移動可能に取り付けられ、環状部２１０の上面２１１とコンクリートＣ１との間の距離を測定するためのものである。測定部３０は例えば、棒状の定規であり、貫通孔１１０に挿入されることにより平板１２０に移動可能に取り付けられる。
【００２６】
測定部３０には、目盛と数値が記載されており、この数値は、測定部３０の下端からの距離を示す数値から、平板１２０の上面１２５と環状部２１０の上面２１１との間の距離を差し引いた数値である。このため、環状部２１０の上面２１１とコンクリートＣ１との間の距離を直接測定することができる。よって、上から見て、貫通孔１１０に挿入された測定部３０がある箇所での環状部２１０の上面２１１とコンクリートＣ１との間の距離を測定することができる。なお、ここで説明した測定方法は一例である。
【００２７】
なお、測定部３０の下端にコンクリートＣ１との接触を検知する検知センサを設けてもよい。この検知センサがコンクリートＣ１との接触を検知すると、例えば測定部３０全体を発光させる発光部を、測定部３０に内蔵してもよい。これにより、ユーザは、横方向から覗き込むことなく、測定部３０とコンクリートＣ１との接触を認識することができる。
【００２８】
また、図１の（ｃ）に示すように、測定器具１０は、測定部３０と貫通孔１１０の内壁面との間に、貫通孔１１０の内壁面に対する測定部３０の相対位置を保持する保持部１４０を備えている。保持部１４０は、例えば、弾性を有するＯリングであってもよく、測定部３０と貫通孔１１０の内壁面との間の空間に埋め込まれている。保持部１４０は、手作業で測定部３０を平板１２０に対して上下方向に移動させることが可能であり、かつ、手で測定部３０を移動させることをやめた場合に測定部３０が平板１２０に対して保持される機能を有する。なお、図１の（ａ）及び（ｂ）では保持部１４０を省略している。
【００２９】
したがって、測定器具１０は、測定部３０と貫通孔１１０の内壁面との間に、貫通孔１１０の内壁面に対する測定部３０の相対位置を保持する保持部１４０を備えている。このため、環状部２１０の上面２１１とコンクリートＣ１との間の距離を測定するとき、ユーザが測定部３０を保持する必要がなくなる。よって、環状部２１０の上面２１１とコンクリートＣ１との間の距離をより容易に測定することができる。
【００３０】
なお、貫通孔１１０の内壁面に対する測定部３０の相対位置を保持するために、保持部１４０の代わりに当接部材を用いてもよい。この当接部材として、例えば、バネ式のピンを有するプランジャが挙げられる。具体的に以下に説明する。平板１２０の側面には、孔が形成されていてもよく、この孔は貫通孔１１０とつながっている。この孔に当接部材を挿入し、この当接部材によって測定部３０を当接することにより、貫通孔１１０の内壁面に対する測定部３０の相対位置を保持してもよい。これにより、測定器具１０が保持部１４０を備えることによる効果と同様の効果を奏する。また、測定部３０に、その上端から下端まで延伸する凹部が形成されていてもよい。この凹部に当接部材が嵌合することにより、測定部３０が回転することを防ぐことができる。
【００３１】
さらに、図１の（ｃ）に示すように、平板１２０の下面１６０には、嵌合部１６１が形成されている。具体的には、嵌合部１６１は、平板１２０の２つの突出端部１３０の下面に形成されている。環状部２１０の上面２１１に平板１２０を配置したとき、嵌合部１６１は、環状部２１０の上面２１１と開口部２３０との間の角部と嵌合する。
【００３２】
以上により、環状部２１０の上面２１１に平板１２０を配置し、平板１２０には環状部２１０の上面２１１と上から見てＪリング２０に囲まれる位置に配置されたコンクリートＣ１との間の距離を測定するための測定部３０が取り付けられている。このように、環状部２１０の上面２１１に、環状部２１０の上面とコンクリートＣ１との間の距離を測定するための測定部３０が取り付けられた平板１２０を配置する。これにより、環状部２１０の上面２１１とコンクリートＣ１との間の距離を容易に測定することができる。
【００３３】
なお、測定部３０は、コンクリートＣ１と非接触である状態で、環状部２１０の上面２１１とコンクリートＣ１との間の距離を測定する非接触変位計であってもよい。この場合、例えば、平板１２０の下面１６０の中央に測定部３０を設けてもよく、測定部３０は、平板１２０の下面１６０とコンクリートＣ１との間の距離を測定する。また、平板１２０には嵌合部１６１を形成せずに、横方向から見て、平板１２０の下面１６０と環状部２１０の上面２１１とが一致するようにする。これにより、平板１２０の下面１６０とコンクリートＣ１との間の距離は、環状部２１０の上面２１１とコンクリートＣ１との間の距離と同一になる。
【００３４】
以上により、環状部２１０の上面２１１に平板１２０を配置するだけで、測定部３０によって環状部２１０の上面２１１とコンクリートＣ１との間の距離が測定される。よって、環状部２１０の上面２１１とコンクリートＣ１との間の距離をより容易に測定することができる。
【００３５】
また、測定部３０が非接触変位計である場合、測定部３０が平板１２０の下面１６０とコンクリートＣ１との間の距離を測定した結果を表示する表示部を、平板１２０の上面１２５の中央から突出させてもよい。これにより、ユーザは、上から見るだけで、平板１２０の下面１６０とコンクリートＣ１との間の距離を容易に認識することができる。
【００３６】
（変形例１）
図２の（ａ）は図１に示す測定器具１０の変形例である測定器具１０ａ、Ｊリング２０、及びコンクリートＣ１を示し、それらを上方向から見た図であり、図２の（ｂ）は図２の（ａ）に示す測定器具１０ａの斜視図である。
【００３７】
測定器具１０ａは、図２の（ａ）及び（ｂ）に示すように、測定器具１０と比べて、平板１２０が平板１２０ａに変更されている点、及び測定部３０を３つ備えている点が異なる。
【００３８】
平板１２０ａには、平板１２０ａを上下方向に貫通する３つの貫通孔１１０・１１１・１１２が形成されている。貫通孔１１０は、平板１２０ａの中央に形成され、平板１２０ａの中央を上下方向に貫通する。貫通孔１１１・１１２はそれぞれ、平板１２０ａの２つの突出端部１３０ａの各々に形成され、２つの突出端部１３０ａの各々を上下方向に貫通する。３つの測定部３０は、３つの貫通孔１１０・１１１・１１２の各々に挿入されることにより平板１２０ａに移動可能に取り付けられる。これにより、上から見て３つの測定部３０の各々が位置する３箇所で環状部２１０の上面２１１とコンクリートＣ１との間の距離を同時に測定することができる。
【００３９】
また、測定器具１０ａは、３つの測定部３０の各々と貫通孔１１０・１１１・１１２の各々の内壁面との間に保持部１４０を備えている。
【００４０】
平板１２０ａは、図２の（ａ）に示すように、上から見て、その中央と開口部２３０の中央とを合わせた状態で２つの突出端部１３０ａが環状部２１０より外側に突出するように配置される。この場合、貫通孔１１１・１１２は、上から見て、環状部２１０より外側になるように、平板１２０ａに形成されている。これにより、貫通孔１１１・１１２に測定部３０が挿入されても、測定部３０が環状部２１０に当たって下に移動できないことを防ぐことができる。
【００４１】
貫通孔１１１に挿入された測定部３０は、上から見て、その測定部３０がある箇所での平板１２０ａの上面１２５ａとコンクリートＣ１との間の距離を測定する。この距離から、平板１２０ａの上面１２５ａと環状部２１０の上面２１１との間の距離を差し引くことにより、上から見て、貫通孔１１１に挿入された測定部３０がある箇所での環状部２１０の上面２１１とコンクリートＣ１との間の距離を測定することができる。同様に、上から見て、貫通孔１１２に挿入された測定部３０がある箇所での環状部２１０の上面２１１とコンクリートＣ１との間の距離を測定することもできる。
【００４２】
また、開口部２３０の中央を上下方向に通る軸を回転軸として、平板１２０ａを９０°回転させることにより、後述する距離ｈ０・ｈｘ１・ｈｘ２・ｈｙ１・ｈｙ２を測定することができる。
【００４３】
（変形例２）
図３の（ａ）は図１に示す測定器具１０の変形例である測定器具１０ｂ、Ｊリング２０、及びコンクリートＣ１を示し、それらを上方向から見た図であり、図３の（ｂ）は図３の（ａ）に示す測定器具１０ｂの斜視図である。
【００４４】
測定器具１０ｂは、図３の（ａ）及び（ｂ）に示すように、測定器具１０と比べて、平板１２０が平板１２０ｂに変更されている点、及び測定部３０を５つ備えている点が異なる。平板１２０ｂには、平板１２０ｂを上下方向に貫通する５つの貫通孔１１０・１１１・１１２・１１３・１１４が形成されている。また、測定器具１０ｂは、５つの測定部３０の各々と貫通孔１１０・１１１・１１２・１１３・１１４の各々の内壁面との間に保持部１４０を備えている。
【００４５】
貫通孔１１０は、平板１２０ｂの中央に形成され、平板１２０ｂの中央を上下方向に貫通する。貫通孔１１１・１１２・１１３・１１４はそれぞれ、平板１２０ｂの４つの突出端部１３０ｂの各々に形成され、４つの突出端部１３０ｂの各々を上下方向に貫通する。５つの測定部３０は、５つの貫通孔１１０・１１１・１１２・１１３・１１４の各々に挿入されることにより平板１２０ｂに移動可能に取り付けられる。これにより、上から見て５つの測定部３０の各々が位置する５箇所で環状部２１０の上面２１１とコンクリートＣ１との間の距離を同時に測定することができる。
【００４６】
平板１２０ｂは、図３の（ａ）に示すように、上から見て、その中央と開口部２３０の中央とを合わせた状態で４つの突出端部１３０ｂが環状部２１０より外側に突出するような十字形状を有する。この場合、貫通孔１１１・１１２・１１３・１１４は、上から見て、環状部２１０より外側になるように、平板１２０ｂに形成されている。これにより、貫通孔１１１・１１２・１１３・１１４に測定部３０が挿入されても、測定部３０が環状部２１０に当たって下に移動できないことを防ぐことができる。
【００４７】
Ｊリング２０によるコンクリートＣ１の通過性能に関する標準試験方法では、下記の式（１）を用いて、コンクリートＣ１の通過性能を示すＰＪ値を算出する。
【００４８】
ＰＪ＝（ｈｘ１＋ｈｘ２＋ｈｙ１＋ｈｙ２）／４−ｈ０・・・（１）
図３の（ａ）に示すように、ｈ０は、上から見て、貫通孔１１０に挿入された測定部３０がある箇所での環状部２１０の上面２１１とコンクリートＣ１との間の距離である。同様に、ｈｘ１は、上から見て、貫通孔１１１に挿入された測定部３０がある箇所での上面２１１とコンクリートＣ１との間の距離である。ｈｘ２は、上から見て、貫通孔１１２に挿入された測定部３０がある箇所での上面２１１とコンクリートＣ１との間の距離である。
【００４９】
また、同様に、ｈｙ１は、上から見て、貫通孔１１３に挿入された測定部３０がある箇所での上面２１１とコンクリートＣ１との間の距離である。ｈｙ２は、上から見て、貫通孔１１４に挿入された測定部３０がある箇所での上面２１１とコンクリートＣ１との間の距離である。距離ｈｘ０・ｈｘ１・ｈｘ２については、図１の（ａ）にも示している。
【００５０】
前述したように、上から見て、貫通孔１１０・１１１・１１２に挿入された測定部３０がある箇所での環状部２１０の上面２１１とコンクリートＣ１との間の距離ｈ０・ｈｘ１・ｈｘ２を測定することができる。同様に、上から見て、貫通孔１１３・１１４に挿入された測定部３０がある箇所での環状部２１０の上面２１１とコンクリートＣ１との間の距離ｈｙ１・ｈｙ２を測定することもできる。
【００５１】
以上により、距離ｈ０・ｈｘ１・ｈｘ２・ｈｙ１・ｈｙ２を測定することができるため、上記の式（１）を用いて、コンクリートＣ１の通過性能を示すＰＪ値を算出することができる。
【００５２】
〔実施形態２〕
図４は本発明の実施形態２に係るスランプコーン４０及びＪリング２０を示し、それらを横方向から見た図である。図５は図４に示すスランプコーン４０の使用例を示す図であり、図５の（ａ）はユーザがスランプコーン４０の中にコンクリートＣ１を流し込むときのユーザの姿勢を示す図であり、図５の（ｂ）はユーザがスランプコーン４０を持ち上げる様子を示す図である。なお、説明の便宜上、上記実施形態にて説明した部材と同じ機能を有する部材については、同じ符号を付記し、その説明を繰り返さない。
【００５３】
スランプコーン４０は、上から見てＪリング２０に囲まれる位置にコンクリートＣ１を配置するためのものである。スランプコーン４０の側面４１０は、図４に示すように、上から下に向かうにつれて、スランプコーン４０の上下方向と垂直な平面の断面積が大きくなるようなテーパー形状になっている。スランプコーン４０の上側には開口部４５０が形成されている。
【００５４】
スランプコーン４０の側面４１０には、凸部４２０が形成されており、凸部４２０には取っ手部４３０が固定されている。側面４１０には、取っ手部４３０だけではなく、引っかけ部４４０も固定されている。引っかけ部４４０は、治具５０を引っかけるためのものである。
【００５５】
治具５０は、端部５１、屈曲部５２、傾斜部５３、平面部５４、及び凸端部５５を備える。治具５０を引っかけ部４４０に引っかけるとき、端部５１を引っかけ部４４０の開口部分に入れて、引っかけ部４４０の上端４４１の上側に屈曲部５２が接触するようにする。
【００５６】
この場合、傾斜部５３は、屈曲部５２から平面部５４までの間で斜め下に向かう方向に傾斜している。平面部５４の下面には、滑り止め部５６が貼り付けられている。滑り止め部５６は、平面Ｇ１に対し、平面部５４が滑らないようにするためのものである。平面部５４の傾斜部５３がある側とは反対側には凸端部５５が設けられている。凸端部５５は、ユーザが平面部５４に足を乗せたとき、その足が外側に移動することを防ぐためのものである。
【００５７】
ユーザは、まず、スランプコーン４０の中にコンクリートＣ１を流し込む。このとき、ユーザは、図５の（ａ）に示すように、足で平面部５４を踏みながら、スランプコーン４０の開口部４５０から、スランプコーン４０の中にコンクリートＣ１を流し込む。
【００５８】
ユーザは、スランプコーン４０の中にコンクリートＣ１を流し込むとき、手を使うことなく、スランプコーン４０を治具５０によって平面Ｇ１に押さえつけることができる。これにより、例えば、スランプコーン４０が軽いものであった場合、スランプコーン４０の中にコンクリートＣ１が流し込まれても、スランプコーン４０が平面Ｇ１から浮き上がることがない。また、後述するようにスランプコーン４０が軽いものである場合、ユーザがスランプコーン４０を持ち上げ易くなる。よって、ユーザは、一人でスランプコーン４０の中にコンクリートＣ１を容易に流し込むことができ、かつ、スランプコーン４０を持ち上げ易くなる。
【００５９】
ユーザがスランプコーン４０の中にコンクリートＣ１を流し込み終わった後、図５の（ｂ）に示すように、ユーザは取っ手部４３０をつかむ。そして、ユーザは、取っ手部４３０をつかみながら、スランプコーン４０を上に持ち上げる。このとき、ユーザは、平面部５４から足を離して、足で平面Ｇ１を踏むようにする。
【００６０】
本実施形態の治具５０の構成は、本実施形態で説明したようなＪリング２０を用いた試験に限らず、従来のＪリング２０を用いないスランプ試験にも適用可能である。
【００６１】
〔実施形態３〕
図６の（ａ）は本発明の実施形態３に係る水平器７０、Ｊリング２０、コンクリートＣ１、及び台板６０を上から見た図であり、図６の（ｂ）は水平器７０を上から見た図である。図６の（ｃ）は水平器７０を横方向から見た図である。なお、説明の便宜上、上記実施形態にて説明した部材と同じ機能を有する部材については、同じ符号を付記し、その説明を繰り返さない。
【００６２】
水平器７０は、図６の（ａ）〜（ｃ）に示すように、平面Ｇ１上に配置される。水平器７０は、図６の（ｂ）及び（ｃ）に示すように、接続部７１、支持部７２、支持棒７３、水平部７４、及び水準器７５を備えている。
【００６３】
４つの接続部７１はそれぞれ、上から見て、水平部７４の下面の４隅に固定される。４つの接続部７１はそれぞれ、４つの支持部７２と固定された支持棒７３の各々と水平部７４とを接続しており、４つの支持棒７３の各々及び水平部７４に固定されている。支持部７２は、支持棒７３の下端に固定されており、接続部７１と支持部７２との間の距離を変更する高さ変更機構を有する。水平部７４は、４つの接続部７１、４つの支持部７２、及び４つの支持棒７３によって支持されている。水準器７５は、水平部７４の中央に設けられており、水平部７４の上面の、重力の方向と垂直な方向に対する角度及び傾斜を確認するためのものである。水準器７５を確認しながら支持部７２の高さ変更機構を調整することによって、水平部７４の上面が重力の方向に対して垂直になるようにすることができる。
【００６４】
水平部７４の上面には、図６の（ａ）に示すように、台板６０が配置され、台板６０の上面には、Ｊリング２０が配置される。ユーザはスランプコーン４０の中にコンクリートＣ１を流し込む動作を行うとき、位置Ｐ１に足を置きながらその動作を行う。また、ユーザはスランプコーン４０を上に持ち上げる動作を行うとき、位置Ｐ２に足を置きながらその動作を行ってもよい。
【００６５】
以上により、水平器７０は、平面Ｇ１に４点で直立している。このため、水平部７４の上面に配置された台板６０の上にユーザが乗っても、平面Ｇ１に３点で直立している水平器と比べて、台板６０がたわむ可能性を低減することができる。また、水平器７０は、平面Ｇ１に４点で直立しているため、安定しており、ユーザは台板６０の上に乗り易くなる。
【００６６】
〔実施形態４〕
図７は、本発明の実施形態４に係る測定器具１０ｃ及びＪリング２０を示し、それらを上から見た図である。図８は、図７に示す測定器具１０ｃの斜視図である。なお、説明の便宜上、上記実施形態にて説明した部材と同じ機能を有する部材については、同じ符号を付記し、その説明を繰り返さない。
【００６７】
測定器具１０ｃは、図７及び図８に示すように、測定器具１０と比べて、平板１２０が２つの平板１２０ｃ・１２０ｄに変更されている点、及び測定部３０が５つの測定部３０ａに変更されている点が異なる。平板１２０ｃの２つの突出端部１３０ｃ、及び平板１２０ｄの２つの突出端部１３０ｄには、固定部材１２１が固定されており、固定部材１２１には固定部材１２２が固定されている。
【００６８】
測定部３０ａは、ネジ部３１及びメジャー部３２から構成されている。ネジ部３１はメジャー部３２の上部に固定されており、メジャー部３２は、固定部材１２２に貼り付けることが可能となっている。具体的には、メジャー部３２及び固定部材１２２は、例えばマグネットであり、磁力によってメジャー部３２を固定部材１２２に着脱自在に取り付けることが可能となる。
【００６９】
このように、測定部３０ａは、固定部材１２１を介して平板１２０ｃ・１２０ｄに固定された固定部材１２２に対して着脱自在に取り付けられる。これにより、平板１２０ｃ・１２０ｄに貫通孔を形成しなくても、平板１２０ｃ・１２０ｄに対して測定部３０ａを容易に取り付けることができる。突出端部１３０ｃ・１３０ｄに固定部材１２１を介して固定された固定部材１２２に取り付けられる測定部３０ａは、上から見て、Ｊリング２０の環状部２１０より外側に配置される。
【００７０】
固定部材１２１・１２２は、固定部材１２２におけるメジャー部３２と接触する面が、上から見て、開口部２３０の中央から外側に向かう方向に向くように、平板１２０ｃ・１２０ｄに固定される。これにより、ユーザは、Ｊリング２０の周囲からメジャー部３２に記載された目盛を容易に確認することができる。
【００７１】
なお、固定部材１２１・１２２は、固定部材１２２におけるメジャー部３２と接触する面が、図８において手前側に向くように、平板１２０ｃ・１２０ｄに固定されてもよい。具体的には、固定部材１２２におけるメジャー部３２と接触する面が、平板１２０ｃ・１２０ｄの手前側の側面ｓ１が向く方向と同一の方向に向くように、固定部材１２１・１２２が平板１２０ｃ・１２０ｄに固定されてもよい。これにより、ユーザは、手前側から５つのメジャー部３２に記載された目盛を同時に確認することができる。
【００７２】
ユーザは、ネジ部３１を持つことにより、メジャー部３２を固定部材１２２に容易に取り付けることができる。また、測定部３０ａが固定部材１２２に取り付けられることにより、ユーザが測定部３０ａから手を放しても、測定部３０ａの位置が安定し、ユーザ一人で測定及び記録を行うことができる。測定部３０ａは、平板１２０ｃ・１２０ｄに対して垂直方向に移動させることが可能である。
【００７３】
２つの平板１２０ｃ・１２０ｄは、互いに中央箇所で接続されることにより、十字形状を構成する。具体的には、平板１２０ｃ・１２０ｄそれぞれの中央箇所に凹部が形成される。平板１２０ｃと平板１２０ｄとが交差し、かつ、平板１２０ｃの凹部と平板１２０ｄの凹部とが互いに嵌合することにより、平板１２０ｃ・１２０ｄが互いに接続される。
【００７４】
２つの平板１２０ｃ・１２０ｄの構成から、一体である十字形状の平板と比べて、２つの平板１２０ｃ・１２０ｄを分離させることにより、収納性を向上させることができる。平板１２０ｃ・１２０ｄは、上から見て、その中央と開口部２３０の中央とを合わせた状態で、４つの突出端部としての２つの突出端部１３０ｃ及び２つの突出端部１３０ｄが外側に突出するような十字形状を有する。
【００７５】
また、測定部３０ａが平板１２０ｃ・１２０ｄの中央を通過することが可能なように、平板１２０ｃの側面の中央近傍には切り欠き部１２４ｃが形成されており、平板１２０ｄの側面の中央近傍には切り欠き部１２４ｄが形成されている。平板１２０ｄの上面の中央には、固定部材１２１が固定されており、固定部材１２１には固定部材１２２が固定されている。
【００７６】
平板１２０ｃ・１２０ｄには突起部１２３が設けられている。突起部１２３は、平板１２０ｃ・１２０ｄから下方に向かって延伸している。突起部１２３は、Ｊリング２０に対する測定器具１０ｃの位置が決まるように、Ｊリング２０に測定器具１０ｃを配置し易くするためのものである。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７８】
１０、１０ａ、１０ｂ、１０ｃ  測定器具
２０  Ｊリング                      ３０、３０ａ  測定部
３１  ネジ部                        ３２  メジャー部
４０  スランプコーン                ５０  治具          ５１  端部
５２  屈曲部                        ５３  傾斜部        ５４  平面部
５５  凸端部                        ５６  滑り止め部    ６０  台板
７０  水平器                        ７１  接続部        ７２、２２０  支持部
７３  支持棒                        ７４  水平部        ７５  水準器
１１０、１１１、１１２、１１３、１１４  貫通孔
１２０、１２０ａ、１２０ｂ、１２０ｃ、１２０ｄ  平板
１２１、１２２  固定部材            １２３  突起部
１２５、１２５ａ、２１１  上面
１３０、１３０ａ、１３０ｂ、１３０ｃ、１３０ｄ  突出端部
１４０  保持部                      １６０  下面        １６１  嵌合部
２１０  環状部                      ２３０、４５０  開口部
４１０  側面                        ４２０  凸部        ４３０  取っ手部
４４１  上端                        Ｃ１  コンクリート
Ｇ１  平面                          ｓ１  側面
【図１】
2019120700.tif 000003
【図２】
2019120700.tif 000004
【図３】
2019120700.tif 000005
【図４】
2019120700.tif 000006
【図５】
2019120700.tif 000007
【図６】
2019120700.tif 000008
【図７】
2019120700.tif 000009
【図８】
2019120700.tif 000010